(57)【特許請求の範囲】
【請求項１】
ベランダのパラペット上に手摺り支柱を所定間隔おきに立設し、これら手摺り支柱の上端部に手摺り笠木を架け渡すことによって手摺り本体を形成し、手摺り本体の室外側には手摺り本体及びパラペットの見附きを隠すパネルを配置し、このパネルは、パネル周枠とこれに裏側から取外し可能に取り付けられるパネル本体とからなるもので、パネル周枠の左右側枠の夫々上下複数箇所に取り付けたスライド金具を、該スライド金具にボルト及びナットに支持されるガイド片を介して、各手摺り支柱に付設したガイドレールに沿ってスライド可能に取り付けることによって、パネル周枠を、手摺り本体及びパラペットの見附きが隠れる使用位置と、パネル周枠の下端が少なくともパラペットより上位に位置する非使用位置との間で上下移動可能とし、各ガイドレールの下端部には、パネル周枠を使用位置に下降させる時に下段側スライド金具にボルト及びナットによって支持された上記ガイド片が当って下段側スライド金具の下動を制限してパネル周枠を使用位置に位置決めするストッパーを設け、該使用位置で前記ガイド片を支持するボルト及びナットを締め付けることにより、パネル周枠を前記使用位置に固定保持するようにした手摺り装置。
【請求項２】
パネル本体はガラス板又はプラスチック板からなる請求項１に記載の手摺り装置。
【請求項３】
パネル本体は面格子からなる請求項１に記載の手摺り装置。
【請求項４】
パネル本体は、パネル周枠の裏側にスナップ式に係嵌されるパネル本体押えによって取外し可能に取り付けられる請求項１〜３の何れかに記載の手摺り装置。
【請求項５】
パネル本体は、パネル周枠の裏側にネジ具によって取外し可能に取り付けられる請求項１〜３の何れかに記載の手摺り装置。
【発明の詳細な説明】
【技術分野】
【０００１】
本発明は、ベランダのパラペットに設置されると共に、パラペットの見附きを隠すことができるようになっている手摺り装置に関するものである。
【背景技術】
【０００２】
ベランダに設置される従来の手摺り装置として、特許公報等の公知文献を具体的に挙げることはできないが、従来の手摺り装置は、パラペット上に手摺支柱を所定間隔おきに立設し、これら手摺り支柱間の上横枠と下横枠とを横架し、上下横枠間に立格子や面板を取り付け、また手摺支柱の上端部に手摺り笠木を架け渡すようにしている。
【発明の開示】
【発明が解決しようとする課題】
【０００３】
上記のように、従来の手摺り装置は、ベランダの上に設置されるため、パラペットの見附きがそのまま屋外正面に露呈することになり、パラペット上部側の手摺りとパラペットの見附きとがアンバランスな外観を呈するという課題があった。
【０００４】
本発明は、上記の課題に鑑み、パラペットの見附きと、パラペット上に設置した手摺り本体の見附きとを隠し、全面パネル状として、建物外観がスッキリなるようにした手摺り装置を提供することを目的とする。
【課題を解決するための手段】
【０００５】
上記課題を解決するための手段を、後述する実施形態の参照符号を付して説明すると、請求項１に係る発明は、ベランダのパラペットＰ上に手摺り支柱１を所定間隔おきに立設し、これら手摺り支柱１の上端部に手摺り笠木２を架け渡すことによって手摺り本体３を形成し、手摺り本体３の室外側には手摺り本体３及びパラペットＰの見附きＰａを隠すパネル４を配置し、このパネル４は、パネル周枠５とこれに裏側から取外し可能に取り付けられるパネル本体６とからなるもので、パネル周枠５の左右側枠５ａ，５ａの夫々上下複数箇所に取り付けたスライド金具７を、該スライド金具７にボルト１９及びナット２１に支持されるガイド片２０を介して、各手摺り支柱１に付設したガイドレール８に沿ってスライド可能に取り付けることによって、パネル周枠５を、手摺り本体３及びパラペットＰの見附きＰａが隠れる使用位置と、パネル周枠５の下端が少なくともパラペットＰより上位に位置する非使用位置との間で上下移動可能とし、ガイドレール８の下端部には、パネル周枠５を使用位置に下降させる時に下段側スライド金具７にボルト１９及びナット２１によって支持された上記ガイド片２０が当って下段側スライド金具７の下動を制限してパネル周枠５を使用位置に位置決めするストッパー１１を設け、該使用位置で前記ガイド片２０を支持するボルト１９及びナット２１を締め付けることにより、パネル周枠５を前記使用位置に固定保持するようにしたことを特徴とする。
【０００６】
【０００７】
請求項２は、請求項１に記載の手摺り装置において、パネル本体６はガラス板又はプラスチック板からなることを特徴とする。
【０００８】
請求項３は、請求項１に記載の手摺り装置において、パネル本体６は面格子２６からなることを特徴とする。
【０００９】
請求項４は、請求項１〜３の何れかに記載の手摺り装置において、パネル本体６は、パネル周枠５の裏側にスナップ式に係嵌されるパネル本体押え１５によって取外し可能に取り付けられることを特徴とする。
【００１０】
請求項５は、請求項１〜３の何れかに記載の手摺り装置において、パネル本体６は、パネル周枠５の裏側にネジ具２５によって取外し可能に取り付けられることを特徴としている。
【発明の効果】
【００１１】
上記解決手段による発明の効果を、後述する実施形態の参照符号を付して説明すると、請求項１に係る発明によれば、手摺り本体３の室外側に手摺り本体３及びパラペットＰの見附きＰａを隠すパネル４を配置し、このパネル４を構成するパネル周枠５の左右側枠５ａ，５ａの夫々上下複数箇所に取り付けたスライド金具７を、各手摺り支柱１に付設したガイドレール８に沿ってスライド可能に取り付けることによって、パネル周枠５を、手摺り本体３及びパラペットＰの見附きＰａが隠れる使用位置と、パネル周枠５の下端が少なくともパラペットＰより上位に位置する非使用位置の間で上下移動可能としているから、使用位置では手摺り本体３及びパラペットＰの見附きＰａが隠れ、手摺り装置が全面パネル状となって建物外観がスッキリした状態となると共に、パネル本体６のメンテナンス時あるいは建物躯体の補修工事や塗装工事時にはパネル周枠５を非使用位置にスライドさせることによって作業が容易となる。
【００１２】
また、ガイドレール８の下端部に、パネル周枠５を使用位置に下降させる時に下段側スライド金具７の下動を制限してパネル周枠５を使用位置に位置決めするストッパー１１を設け、このストッパー１１でパネル周枠５の高さ位置を決定しているので、現場でのパネル周枠５の調整作業が不要となる。
【００１３】
請求項２に記載のように、パネル本体６はガラス板からなるものでもよいし、プラスチック板からなるものでもよい。
【００１４】
請求項３に記載のように、パネル本体６は面格子２６からなるものでもよい。
【００１５】
請求項４に記載のように、パネル本体６は、パネル周枠５の裏側にスナップ式に嵌め込まれるパネル本体押え１５押えによって取り付けられるようにするとよい。
【００１６】
請求項５に記載のように、パネル本体６は、パネル周枠５の裏側にネジ具２５によって取外し可能に取り付けてもよい。
【発明を実施するための最良の形態】
【００１７】
以下に本発明の好適な一実施形態を図面に基づいて説明すると、先ず、図面について、図１は本発明に係る手摺り装置を屋外側から見た斜視図、図２は同手摺り装置のパネル周枠を一部上昇させた状態を示す図１と同様な斜視図、図３は同手摺り装置の使用方法を説明する断面図、図４は図３の(a) のＸ−Ｘ線拡大断面図、図５は図３の(c) のＹ−Ｙ線拡大断面図である。この手摺り装置は、ベランダに設けられたパラペットＰの上面Ｐｏに複数本の手摺り支柱１を所定間隔おきに立設し、これら手摺り支柱１の上端部に手摺り笠木２を架け渡すことによって手摺り本体３を形成し、この手摺り本体３の室外側には手摺り本体３及びパラペットＰの見附きＰａを隠すパネル４を配設してなるものである。
【００１８】
手摺り装置のパネル４は、パネル周枠５と、このパネル周枠５に裏側から取外し可能に取り付けられるパネル本体６と、パネル本体押え１５からなるもので、パネル周枠５は、左右の側枠５ａ，５ａ、上枠５ｂ及び下枠５ｃによって枠組み構成され、そして左右側枠５ａ，５ａの夫々上下２箇所に取り付けたスライド金具７を、各手摺り支柱１に付設したガイドレール８に沿ってスライド可能に取り付けることによって、パネル周枠５を、手摺り本体３の見附き（図面には符号は付していないが、手摺り本体３の前面側とする）及びパラペットＰの見附きＰａが隠れる使用位置と、パネル周枠５の下端が少なくともパラペットＰより上位に位置する非使用位置との間で上下移動できるようにしている。
【００１９】
手摺り本体３の手摺り支柱１は、図４及び図５の断面図に示すようにアルミ押出形材からなり、手摺り笠木２も、断面図示は省略するが、アルミ押出形材からなる。図４及び図５から分かるように、手摺り支柱１には前面側にガイドレール８がビス又はリベット（図示せず）で取り付けられており、このガイドレール８も、アルミ押出形材からなるもので、手摺り支柱１の前面部にビス等により取り付けられる横断面略Ｔ字状の取付部８ｂと、横断面略Ｈ字状を成して左右両側にチャンネル状のレール部８ｏ，８ｏを形成した本体部８ａとからなる。
【００２０】
図２及び図３から分かるように、パネル４のパネル周枠５を構成する左右両側枠５ａ，５ａには夫々上部側と下部側との２箇所にスライド金具７が取り付けられている。各スライド金具７は、図４〜図６に示すように、パネル周枠５の側枠５ａにビス等によって取り付けられる内向きコ字形の取付部７ｂと、この取付部７ｂとはコ字形の向きが反対の外向きコ字形を成す本体部７ａと、この外向きコ字形本体部７ａ内に上下２個のボルト９，９で取り付けられたガイド片２０とから構成される。
【００２１】
各ガイド片２０は、ガイドレール８のチャンネル状のレール部８ｏに嵌合された状態でスライド可能に支持されている。またガイド片２０には背面側に溝２０ａが形成されていて、この溝２０ａ内にボルト頭９ａを回転不能に嵌合した状態で、溝底部のボルト挿通孔（図示省略）からスライド金具本体部７ａのボルト挿通孔（図示省略）にボルト９が挿通されて、その挿通端部にナット２１が螺合されている。しかして、ナット２１を締め込み方向に回すと、ガイド片２０がガイドレール８に押し付けられて、パネル周枠５がガイドレール８に固定され、またナットを緩めると、ガイド片２０がガイドレール８に対し離間して、パネル周枠５がガイドレール８に対しスライド可能となる。
【００２２】
この実施形態の手摺り装置では、図３の(b) に示すようにパネル周枠５の下端がパラペットＰの上面Ｐｏより僅かに上位に位置する所定の非使用位置でパネル周枠５を固定できるようになっている。即ち、各ガイドレール８の本体部８ａには、図３及び図４に示すように、左右両レール部８ｏ，８ｏの隔壁部８ｃに、上記所定の非使用位置に対応する位置で下段側のスライド金具７が位置する下方側にストッパー孔１０が設けてあって、パネル周枠５を予め上昇させた状態で下段側スライド金具７より下方側でストッパーボルト２２（図３の(b) 参照）をストッパー孔１０に突入させることによって、パネル周枠５を上記所定の非使用位置に固定させることができる。
【００２３】
また、図１及び図３の(a) に示すように手摺り本体３の見附き及びパラペットＰの見附きＰａが隠れる使用位置でパネル周枠５をその使用位置に位置決めするストッパー１１が設けられている。即ち、このストッパー１１は、図５にも示すように、各ガイドレール８の本体部８ａのレール部８ｏに嵌め込まれて、ボルト１２及びナット１３で固定されたブロック片１４からなるもので、パネル周枠５を非使用位置から下降させる時に、下段側スライド部材５のガイド片２０が前記ブロック片１４に当たることによって、パネル周枠５を使用位置に停止させて位置決めするようになっている。
【００２４】
このようにパネル周枠５の使用位置をストッパー１１で設定しているので、現場でのパネル周枠５の調整作業が不要となる。
【００２５】
前記パネル４は、図４に示すように、パネル周枠５と、このパネル周枠５の裏側にパッキン１６を介して取り付けられるパネル本体６と、このパネル本体６をパッキン１７を介して裏側から押さえるパネル本体押え１５とからなる。パネル本体６は、例えば厚さ１０ｍｍの合わせガラスからなる。
【００２６】
また、パネル本体押え１５は、パネル周枠５の裏側にスナップ式に嵌め込むことによって、パネル本体６を固定するようになっている。即ち、パネル本体押え１５は、左右縦框１５ａ，１５ａ及び上下框１５ｂ，１５ｃ（図３の(a) 及び図４参照）によって矩形枠状に形成され、そして左右縦框１５ａ，１５ａの夫々外側端部には、パネル周枠５の左右側枠５ａ，５ａの夫々内側端部に設けられた係嵌凸部１８，１８に係嵌する係嵌凹部１９，１９が形成されている。従って、このパネル本体押え１５を図４の仮想線で示す位置からパネル周枠５の裏面側に押し込むと、係嵌凹部１９に係嵌凹部１８がパチンとスナップ式に係嵌されて、パネル本体６がパッキン１７を介してパネル周枠５の裏側に固定される。また、パネル本体６を取り外す時は、適当な金具でパネル本体押え１５の上框１５ｂ又は下框１５ｃを引き起して係嵌凸部１８から係嵌凹部１９を離脱させることにより、パネル本体６をパネル周枠５の裏面側から取り外すことができる。
【００２７】
この実施形態では、パネル本体６として合わせガラスなどのガラスを使用しているが、ガラス板の代わりにプラスチック板を使用することができるる。また、パネル本体６としては、図７に示すような面格子２６からなるものでよい。この図７に示す面格子２６は、矩形枠状の格子枠２６ａ内に縦格子２６ｂを一定間隔おきに配設して形成されたものである。この面格子２６をパネル周枠５に取り付けるには、図示のように、パネル周枠５の裏側に形成された凹段部５ｏに面格子２６を嵌め込んで、面格子２６の格子枠２６ａをパネル周枠５に対しビス２５（ネジ具）で取り付けるようにしてもよいし、あるいは図４に示すガラス板の場合のように、パネル周枠５の裏側に嵌め込んだ面格子２６を、このパネル周枠５に対してスナップ式に係嵌されるパネル本体押え１５によってに取り付けるようにしてもよい。尚、面格子の格子部材としては、縦格子に限らず、横格子でもよい、縦格子と横格子との組み合わせでもよい。
【００２８】
上記のように構成される手摺り装置の使用方法について説明すると、図１は３つのパネル４が夫々使用位置にある状態を示し、図２では左側のパネル４が使用位置にある状態を示し、中央のパネル４はパネル周枠５の下端がパラペットＰの上面Ｐｏより僅かに上位に位置する所定の非使用位置にある状態を示し、右側のパネル４は所定の非使用位置よりもさらに上方まで引き上げられた状態を示す。
【００２９】
パネル４のパネル周枠５は、図４に示すように、スライド金具７のナット２１を締め付けて、ガイド片２０をガイドレール８のレール部８ｏに押し付けることにより、図１及び図２の左端に示すような使用位置に固定保持される。
【００３０】
しかして、パネル４のパネル本体６が例えばガラス板の場合に、このガラス板であるパネル本体６を取り換える際には、スライド金具７のナット２１を緩めると、パネル周枠５がガイドレール８に対しスライド可能となるから、パネル周枠５を持ち上げ、図３の(b) に示すような所定の非使用位置でストッパーボルト２２をガイドレール８のストッパー孔１０に差し込むことによって、パネル周枠５を上記非使用位置に固定させる。この状態でパネル本体６を図３の(b) に示すようにパネル周枠５から取り外して引き上げ、新しいパネル本体６と取り換える。
【００３１】
パネル本体６の取り換え後は、ストッパーボルト２２をガイドレール８のストッパー孔１０から引き抜いて、パネル周枠５をその非使用位置から下降させて、図１及び図２の左端に示すような使用位置に戻し、スライド金具７のナット２０を締め付ければよい。
【００３２】
以上説明したように、この手摺り装置は、ベランダのパラペットＰ上に手摺り支柱１を所定間隔おきに立設し、これら手摺り支柱１の上端部に手摺り笠木２を架け渡すことによって手摺り本体３を形成し、この手摺り本体３の室外側に手摺り本体３及びパラペットＰの見附きＰａを隠すパネル４を配置し、このパネル４は、パネル周枠５とこれに裏側から取外し可能に取り付けられるパネル本体６からなるもので、パネル周枠５の左右側枠５ａ，５ａの夫々上下複数箇所に取り付けたスライド金具７を、各手摺り支柱１に付設したガイドレール８に沿ってスライド可能に取り付けることによって、パネル周枠５を、手摺り本体３及びパラペットＰの見附きＰａが隠れる使用位置と、パネル周枠５の下端が少なくともパラペットＰより上位に位置する非使用位置との間で上下移動可能としたから、使用位置では手摺り本体３の見附き及びパラペットＰの見附きＰａが隠れ、手摺り装置が全面パネル状となって建物外観がスッキリした状態となると共に、パネル本体６のメンテナンス時あるいは建物躯体の補修工事や塗装工事時にはパネル周枠５を非使用位置にスライドさせることによって作業が容易となる。
【００３３】
また、ガイドレール８の下端部には、パネル周枠５を使用位置に下降させる時に下段側スライド金具７の下動を制限してパネル周枠５を使用位置に位置決めするストッパー１１を設けて、このストッパー１１でパネル周枠５の高さ位置を決定しているので、現場でのパネル周枠５の調整作業が不要となる。
【図面の簡単な説明】
【００３４】
【図１】本発明に係る手摺り装置を屋外側から見た斜視図である。
【図２】同手摺り装置のパネル周枠を一部上昇させた状態を示す図１と同様な斜視図である。
【図３】(a) 〜(c) は同手摺り装置の使用方法を説明する断面図である。
【図４】図３の(a) のＸ−Ｘ線拡大断面図である。
【図５】図３の(c) のＹ−Ｙ線拡大断面図である。
【図６】スライド部材を示す斜視図である。
【図７】(a) は面格子からなるパネル本体とパネル周枠を示す斜視図、(b) は面格子をパネル周枠に嵌め込んだ状態の縦断面図である。
【符号の説明】
【００３５】
Ｐ          パラペット
Ｐａ        パラペットの見附き
１          手摺り支柱
２          手摺り笠木
３          手摺り本体
４          パネル
５          パネル周枠
５ａ        パネル周枠の側枠
６          パネル本体
７          スライド金具
８          ガイドレール
１１ ストッパー
２６        面格子（パネル本体）
【図１】
0005144188.tif 000002
【図２】
0005144188.tif 000003
【図３】
0005144188.tif 000004
【図４】
0005144188.tif 000005
【図５】
0005144188.tif 000006
【図６】
0005144188.tif 000007
【図７】
0005144188.tif 000008